(57)【要約】【課題】横向きの受部を備えた受枠と、該受枠の受部にパッキンを介在させて支持され、受枠上に装着される蓋よりなる点検口において、パッキンの耐久性を向上させて防水機能を長期に亘って維持できるようにすると共に、パッキン取付時の作業性を向上させた点検口を提供する。【解決手段】床に設置される受枠１１は、縦向きの受部１１ｂを有し、該受部上に縦断面が方形のパッキン１２を備えた中敷１３が設置され、中敷上に嵩上材１４を備えた蓋１５が装着される。中敷１３の厚みＢと、嵩上材１４の厚みＣと、パッキン１２と中敷１３を合わせた上下方向の厚みＡは、Ａ＞Ｃ＞Ｂの関係に設定される。【選択図】図３
2019199754.tif 000002
【特許請求の範囲】
【請求項１】
フロアに組付けられる、横向きの受部を備えた受枠と、該受枠に装着される蓋と、該蓋と前記受枠の受部との間に介在し、前記蓋を弾力的に支持可能なパッキンよりなる点検口において、前記受部に固定されるか又は装着されて前記蓋を支持するか、或いは前記蓋に取付けられて前記受部に着床することにより、受部上に前記蓋を支持する嵩上材を有し、前記受部と蓋との間に介在する前記パッキンは、その上に載置される中敷又は受部上の台座上に重ねられ、パッキンと中敷又はパッキンと台座の両者の上下方向の厚みが前記嵩上材より大であることを特徴とする点検口。
【請求項２】
フロアに組付けられる、横向きの受部を備えた受枠と、該受枠に装着される蓋と、該蓋と前記受枠の受部との間に介在し、前記蓋を弾力的に支持可能なパッキンよりなる点検口において、前記受部に固定されるか又は装着されて前記蓋を支持するか、或いは前記蓋に取付けられて前記受部に着床することにより、受部上に前記蓋を支持する嵩上材を有し、前記受部と蓋との間に介在し、前記パッキンは前記蓋に直接当たり、その上下方向の厚みは、嵩上材より大であることを特徴とする点検口。
【発明の詳細な説明】
【技術分野】
【０００１】
本発明は、例えば床下の配線や配管を点検するための点検口、地下空間に大型機器を搬入するために設置されるマシンハッチ、道路や歩道部の地中に埋設される電線類を点検するための点検口などの各種点検口に関する。
【０００２】
本発明において、建物内外の床、道路や歩道等の路面、点検口が取付可能な箇所等を代表して単に「フロア」という。したがって本発明でいうフロアとは、床、路面その他これら内部の配線、配管等を点検し、或いは機器を搬入するために設置される点検口（ハッチ）の取付箇所全てをいう。  
【背景技術】
【０００３】
建物の内部やその周辺には、床下の配線や配管を点検するためのフロアハッチ、地下に大型機器を搬入するために設置されるマシンハッチ、道路や歩道部の地中に埋設される電線類を点検するためのハッチなど各種ハッチが設けられることが多く、こうしたハッチでは、点検対象物の器物との関係上、防水機能が求められることが多い。
【０００４】
図１、図２及び図３は、防水機能を備えたハッチについて示すもので、図１はフロア１に組み付けられ、蓋２が装着される受枠３の受部側縁とコーナにパッキン４、５を二列配置して蓋２と受枠３との間を二重にシールし、防水及び防臭機能を発揮させるようにしたものである（特許文献1）。
【０００５】
図２は、蓋６を装着した点検口の部分断面、図３は、蓋６を装着する前の図２のＡ部の拡大断面を示すもので、蓋６が装着される受枠７の受部７ａに蓋掛り７ｂにてパッキン収納部７ａ（図３参照）を折曲形成し、該収納部７ａに水平部９ａと垂直部９ｂよりなる断面アングル状のパッキン９を垂直部９ｂが受枠７と蓋掛り７ｂとの間の隙間１０より上向きに突出するようにして装着した例を示すもので、蓋６を装着したとき、パッキン９の垂直部９ｂが収納部７ａ内に押し込められ、蓋６が蓋掛り７ｂに支持されるようにしている（特許文献２）。
【先行技術文献】
【特許文献】
【０００６】
【特許文献１】特開平９−１５１４７５号公報
【特許文献２】特開２０１８−１６９３６号公報
【発明の概要】
【発明が解決しようとする課題】
【０００７】
図１に示されるハッチにおいては、パッキン３はもとより、パッキン４も受枠側縁の立上がり部７ｄより突出して設置されているため、蓋１の重量がパッキン３、４で受け止められる。そのためパッキン３、４が大きく圧縮され、該パッキンの復元力が低下し易くなって早期の劣化に繋がり、防水機能が低下し易くなる。
【０００８】
図２及び図３に示されるハッチにおいては、パッキン９の隙間１０より突出する部分９ｂに過大な応力が発生して該部の復元力が低下し、劣化に繋がり易くなるうえ、蓋掛り７ｂを含む受部７ａの構造が複雑となり、収納部８へのパッキン９の挿入による取付時の作業性にも問題がある。
【０００９】
本発明は、前記の問題を解決するためになされたもので、パッキンの耐久性を向上させて防水機能を長期に亘って維持できるようにすると共に、パッキン取付時の作業性を向上させた点検口を提供することを目的とする。
【課題を解決するための手段】
【００１０】
請求項１に係る発明は、フロアに組付けられる、横向きの受部を備えた受枠と、該受枠に装着される蓋と、該蓋と前記受枠の受部との間に介在し、前記蓋を弾力的に支持可能なパッキンよりなる点検口において、前記受部に固定されるか又は装着されて前記蓋を支持するか、或いは前記蓋に取付けられて前記受部に着床することにより、受部上に前記蓋を支持する嵩上材を有し、前記受部と蓋との間に介在する前記パッキンは、その上に載置される中敷又は受部上の台座上に重ねられ、パッキンと中敷又はパッキンと台座の両者の上下方向の厚みが前記嵩上材より大であることを特徴とする。
【００１１】
請求項２に掛る発明は、フロアに組付けられる、横向きの受部を備えた受枠と、該受枠に装着される蓋と、該蓋と前記受枠の受部との間に介在し、前記蓋を弾力的に支持可能なパッキンよりなる点検口において、前記受部に固定されるか又は装着されて前記蓋を支持するか、或いは前記蓋に取付けられて前記受部に着床することにより、受部上に前記蓋を支持する嵩上材を有し、前記受部と蓋との間に介在する前記パッキンは前記蓋に直接当たり、その上下方向の厚みは、嵩上材より大であることを特徴とする。
【発明の効果】
【００１２】
請求項１に係る発明のパッキンは、受枠に蓋を装着したとき、蓋と中敷双方の重量又は蓋の重量を受け、これにより横断面全体に均一な応力が掛かって一様に圧縮され、蓋が受部上の嵩上材に支持されるか、或いは蓋に取付けられる嵩上材が受枠の受部に着床すると、それ以上の圧縮が阻止され、圧縮が一定量に止まって受部と蓋又は中敷との間をシールするようになる。本発明のパッキンは以上のように、蓋を装着したとき、一定量圧縮されるが、蓋が嵩上材に、或いは蓋の嵩上材が受部に着床すると、それ以上の圧縮が阻止され、パッキンだけで蓋又は該蓋と中敷の全重量を支持するわけではないため、劣化が改善され、耐久性が向上すること、パッキンは受部と中敷との間、又は蓋と台座との間に介在させるだけでよいため、その構造や取付構造が簡単にでき、取付時には受部又は台座上に単に置くだけでよいため、作業性がよいことなどの効果を有する。
【００１３】
請求項２に係る発明においては、パッキンは蓋に直接当たって該蓋を支持するが、一定量圧縮されると、蓋が嵩上材に当たるか、或いは嵩上材が受部に着床してパッキンの圧縮が同様にして停止される。これにより前記したと同様、パッキンの劣化が改善され、耐久性が向上すること、パッキンは受部と蓋との間に介在させるだけでよいため、その構造や取付構造が簡単にでき、取付時には前記受枠の受部上に置くだけでよいため、パッキン取付け時の作業性がよいことなどの効果を有する。
【図面の簡単な説明】
【００１４】
【図１】従来例の点検口の部分断面図。
【図２】従来の別の例の点検口の部分断面図。
【図３】図２に示すＡ部の拡大断面図。
【図４】蓋を装着前の本実施形態に係る点検口の部分断面図。
【図５】蓋を装着後の点検口の部分断面図。
【図６】点検口に装着される蓋の平面図。
【図７】別の態様の点検口の断面図。
【発明を実施するための形態】
【００１５】
以下、本発明の実施形態に係る点検口について図面により説明する。
【００１６】
図４は、蓋を装着する前の点検口の一部を示すものであり、図５は、蓋装着後の点検口の一部、図６は、点検口に装着したグレーチングよりなる蓋を示すもので、点検口は、例えば図１に示すフロア１に設置され、方形の受枠１１と、縦断面が方形で、下面周縁にゴム又は樹脂製の圧縮可能な弾力性のあるパッキン１２を取付けた平箱状の中敷１３と、嵩上材１４を取付けた蓋１５よりなり、前記受枠１１は、立上がり部１１ａと、該立上がり部１１ａ下端より内側方横向きに屈折する受部１１ｂよりなって縦断面がＬ形をなしている。
【００１７】
パッキン１２は、中空状又は図示するように中実に形成され、好ましくは縦断面が方形の立方体に形成される。立方体以外の形状、例えば断面が台形、楕円形、円等であってもよいが、立方体に形成すると、転び難くなって装着時の安定性がよくなり、また蓋装着時には全体に均一な応力が掛かり易くなって耐久性がより一層向上する。
パッキン１２はまた、中敷１３に固定して取付られるが、受枠１１の受部１１ｂに固定して取付けても良いし、固定しないで受枠と蓋との間に単に介在させておくだくでもよい。
【００１８】
図６に示す蓋１５は、一対のグレーチングを横向きに連設した形態をなしているが、一つのグレーチングより構成されていてもよいし、グレーチング以外の他の蓋、例えばコンクリート製の蓋、肉厚のあるプレート状の金属製のもの或いはパンチングメタルのようなものであってもよい。
【００１９】
本実施形態において、蓋１５の取付けは、先ず受枠１１の受部１１ｂ周縁上にぐるりとパッキン１２を一周させてエンドレスに取付け、好ましくは固定、例えば接着剤にて固定し、ついで四囲のパッキン上に平鍋状の中敷３を掛け渡して取付ける。その後、下面側縁に嵩上材１４を取付け、好ましくは溶接にて取付けた蓋１５を受枠内に装着する。蓋１５の装着に伴いパッキン１２が中敷３を介して圧縮される。パッキン１２の圧縮は嵩上材１４が受部１１ｂに着床するまで行われ、蓋１５は受部１１ｂ上に嵩上材１４を介して支持されるようになり、パッキン１２が受部１１ｂと中敷３との間をシールするようになる。
【００２０】
ここで中敷１３の厚みＢと、嵩上材１４の厚みＣと、パッキン１２と中敷１３を合わせた上下方向の厚みＡは、Ａ＞Ｃ＞Ｂの関係に設定される。この関係の下で図４の状態より受枠１１の受部１１ｂ上に嵩上材１４を介して蓋１５を設置し、嵩上材１４を受部１１ｂに着床させると、Ａ＞Ｃであることにより中敷１３でパッキン１２が圧縮される（図５）。パッキン１２の圧縮は、蓋１５が受部１１ｂ上に嵩上材１４を介して支持されることにより停止し、これによりパッキン１２は一定量圧縮された状態で保持される。
【００２１】
前記実施形態では、パッキン１２は受部１１ｂ上に取付けられ、その上に中敷３が取付けられているが、受部１１ｂ上に嵩上げ用の台座を取付け、該台座上にパッキン１２を取付けてパッキン上に蓋１５を直接装着し、パッキン１２が蓋１５を直接支持するようにしてもよい。この場合、パッキン１２と台座の上下方向の厚みが嵩上材の厚みより大にされる。
【００２２】
図７は、前記実施形態の中敷１３を省略した実施形態の例を示すもので、この実施形態においては、パッキン１７の上下方向の厚みＤ＞嵩上材１４の厚みＣに設定される。本実施形態においても、パッキン１７の圧縮は嵩上材１４が受枠１１の受部１１ｂに着床するまで行われ、嵩上材１４が受部１１ｂに着床すると停止する。
【符号の説明】
【００２３】
１１・・受枠
１１ｂ・・受部
１２、１７・・パッキン
１３・・中敷
１４・・嵩上材
１５・・蓋  
【図１】
2019199754.tif 000003
【図２】
2019199754.tif 000004
【図３】
2019199754.tif 000005
【図４】
2019199754.tif 000006
【図５】
2019199754.tif 000007
【図６】
2019199754.tif 000008
【図７】
2019199754.tif 000009